(57)【要約】【課題】柔軟なバンドの長さを、留具によって個々に合わせて調整する。【解決手段】柔軟なバンド用の折畳式の留具を備える時計ケースであり、前記折畳式の留具は、バンドの第一の端部とつながる胴（１）と、バンドの第二の端部とつながる台座（３）と、胴（１）と台座（３）連結するようにつながる継手（２）と、胴と継手と台座の、折畳まれた状態での重ね合わせと、広げた状態での並置が可能になるように配置されている、胴（１）と継手（２）との、そして台座（３）と継手（２）との連結部（２０、２１）と、バンドが折畳まれた状態のとき、可逆的に長さを伸ばしたり縮めたりするために上下に動かすことができる圧迫と摩擦によりバンドを台座に固定するカム（３４）とを備る。【選択図】図１
2007521934.tif 000002
【特許請求の範囲】
【請求項１】
柔軟なバンド用の折畳式の留具を備える時計ケースであり、前記折畳式の留具は、
バンド（４）の第一の端部（４１）とつながる胴（１）と、
バンド（４）の第二の端部（４０）とつながる台座（３）と、
胴（１）と台座（３）とを連結するようにつながる継手（２）と、
胴と継手と台座の、折畳まれた状態での重ね合わせと、広げた状態での並置が可能になるように配置されている、胴（１）と継手（２）との、そして台座（３）と継手（２）との連結部（２０、２１）とを備え、
バンドが折畳まれた状態のとき計測された、長さを可逆的に伸ばしたり縮めたりする一つまたは複数の調整部材（３４）を備えていることを特徴とする、時計ケース。
【請求項２】
前記バンドの長さの調整は、折畳まれた状態で台座（３）と継手（２）間で差し込まれることで行われることを特徴とする、請求項１に記載の時計ケース。
【請求項３】
前記のバンドの長さは、切れ目なく調整することができることを特徴とする、請求項１または請求項２に記載の時計ケース。
【請求項４】
長さが調整することが可能なバンドの端部は、アンクル受けをもたない前記ケースにつながれていることを特徴とする、請求項１から請求項３のいずれか一つに記載の時計ケース。
【請求項５】
長さが調整可能なバンドの端部は、前記端部の垂直方向に働く力の作用によって前記ケースに固定されることを特徴とする、請求項１から請求項４のいずれか一つに記載の時計ケース。
【請求項６】
前記バンドは一本のバンドから構成されており、バンドの第一の端部（４１）は前記胴につながれ、バンドの第二の端部（４０）は前記台座につながれていることを特徴とする、請求項１から請求項５のいずれか一つに記載の時計ケース。
【請求項７】
継手（２）のその基部が台座３と連結している金属製の開いたＵ字部材から形成されていることを特徴とする、請求項１から請求項６のいずれか一つに記載の時計ケース。
【請求項８】
前記調整部材（３４）が前記台座（３）に配置されていることを特徴とする、請求項１から請求項７のいずれか一つに記載の時計ケース。
【請求項９】
継手（２）が、折畳まれた状態では台座（３）と胴（１）のあいだに隠れることを特徴とする、請求項１から請求項８のいずれか一つに記載の時計ケース。
【請求項１０】
胴（１）と台座（３）のユニットが、一体化した様相を呈することを特徴とする、請求項１から請求項９のいずれか一つに記載の時計ケース。
【請求項１１】
バンド（４）の第二の端部（４０）は、折畳まれた状態で前記時計ケース（１、２、３）のなかに入り込んでいることを特徴とする、請求項１から請求項１０のいずれか一つに記載の時計ケース。
【請求項１２】
バンド（４）の第二の端部（４０）は、折畳まれた状態で台座（３）に入り込んでいることを特徴とする、請求項１１に記載の時計ケース。
【請求項１３】
前記バンド（４）は、前記のケース（１、２、３）の既定された部分に対する、その表面の任意の部分の圧迫によって固定されていることを特徴とする、請求項１１から請求項１２のいずれか一つに記載の時計ケース。
【請求項１４】
前記長さの調整部材は、前記のケース（１、２、３）につながれた、閉じた状態でバンド（４）を支える稼動部材（３４）を備えていることを特徴とする、請求項１１から請求項１３のいずれか一つに記載の時計ケース。
【請求項１５】
前記調整部材の可動部材（３４）は、二箇所の偏心カムであることを特徴とする、請求項１４に記載の時計ケース。
【請求項１６】
カム（３４）と協働する、少なくとも一つの止具（３５）が、前記カムの回転角度を好ましくは９０度以下に制御するためのことを特徴とする、請求項１５に記載の時計ケース。
【請求項１７】
前記長さの調整部材は、前記留具が折畳まれているときは作動しないことを特徴とする、請求項１から請求項１６のいずれか一つに記載の時計ケース。
【請求項１８】
折畳まれた状態の留具をロックするための機械的ロック装置（１１、１２）を備えていることを特徴とする、請求項１から請求項１７のいずれか一つに記載の時計ケース。
【請求項１９】
前記機械的ロック装置が、少なくとも一つの押ボタン（１１、１２）と、少なくとも一つの柔軟に変形させることができる部材を備えていることを特徴とする、請求項１８に記載の時計ケース。
【請求項２０】
少なくとも一つの前記押ボタン（１１、１２）はバネの動きに対して操作することが可能であり、胴（１）と台座（３）につながっている鉤（１２０、３３）の着脱が可能であることを特徴とする、請求項１９に記載の時計ケース。
【請求項２１】
前記ケースの両側に二つの押ボタン（１１、１２）を備えていることを特徴とする、請求項１９または請求項２０に記載の時計ケース。
【請求項２２】
前記押ボタン（１１、１２）は、胴（１）につながっていることを特徴とする、請求項２１に記載の時計ケース。
【請求項２３】
折畳まれた状態のとき前記の継手（２）が収まるために、台座（３）の上面にくりぬき部（３０）を備えていることを特徴とする、請求項１から請求項２２のいずれか一つに記載の時計ケース。
【請求項２４】
台座（３）は、上面に折畳まれた状態でバンド（４）の前記第二の端部を収めるためのくりぬき部（３０）を備え、前記バンドの調整範囲は前記のくりぬき部分の長さとほぼ同等にすることが可能であることを特徴とする、請求項１から請求項２３のいずれか一つに記載の時計ケース。
【請求項２５】
折畳まれた状態の重ね合わせの順序は以下のとおりであることを特徴とする、請求項１から請求項２４のいずれか一つに記載の時計ケース：
１）台座（３）
２）バンド（４）の端部（４０）
３）継手（２）
４）胴（１）
【請求項２６】
胴（１）は、好ましくは９時の位置に竜頭（１０）を備えており、台座（３）は、留具が折畳まれているときに前記竜頭と対向する切欠（３２）を備えていることを特徴する、請求項１から請求項２５のいずれか一つに記載の時計ケース。
【請求項２７】
台座（３）は、留具が折畳まれているときに、少なくとも一つの前記押ボタンと呼ばれるもののために、少なくとも一つの切欠（３１、３６）を備えていることを特徴とする、請求項１９から請求項２６のいずれか一つに記載の時計ケース。
【請求項２８】
バンド（４）の両端部（４０、４１）の引張力は、前記台座の主要面にほぼ収まる二つの直線に沿って働くことを特徴とする、請求項１から請求項２７のいずれか一つに記載の時計ケース。
【請求項２９】
前記バンドは伸縮性の素材から作られることを特徴とする、請求項１から請求項２８のいずれか一つに記載の時計ケース。
【発明の詳細な説明】
【技術分野】
【０００１】
本発明はバンドの留具を備える時計ケース、とりわけ柔軟なバンド用の折畳式の留具に関するものである。
【背景技術】
【０００２】
一般的に腕時計は、主としてムーブメントを備える時計ケースと、時計を身につけたりはずしたりするためのバンドの開閉を可能にする、バンドの留具とを備える。留具は、バンドに沿ってケースに対して１８０度で配置されていることがもっとも多い。柔軟なバンドや硬いバンド用の留具には多種多様な型がある。しかしながら折畳式のバックル式留具は、バンドの両端を切り離さずにバンドの長さを変えることを可能にするため、より安全性の高いものをもたらすものであると認められている。
【０００３】
一般的に折畳式の留具付の留具は、折畳まれた状態の重ねられた複数の金属の薄板を備える。薄板の曲率が手首の径に対応していなければ、こうした留具は快適なものではない。他方、手首の表と同様に裏が金属と接触することは、例えばニッケルのアレルギーの危険性を高めることになる。
【０００４】
また、留具がケースに組み込まれている時計も知られている。この場合、ケースは、折畳まれた状態でケースの上あるいは下に重ねられている折畳式の複数の薄板を備えている。米国特許第４７４８６０４号明細書、米国特許第２４２９９５０号明細書と独国実用新案第７５２７５７号明細書にはこのような留具についての実例が記載されている。
【０００５】
スイス国特許第１５６１７４号明細書には、三枚の薄板の留具のついた他の腕時計について記載されている。胴は、上部の薄板がこの胴の上に折りたたむように枠の形で成型されているのに対し、留具の中間の薄板に取り付けられている。この製造は複雑かつ時計の大きさを増大させるものである。留具の三つの部品は、留具が折畳まれているときに目ではっきりと確認することができる。留具が全面的に広げられるとき文字盤は底のほうに回転するが、このことは平板の表面でガラスを傷つける恐れがある。他方で、文字盤は、胴ならびに枠につながれた第二の胴を閉じる第一のガラス越しに読まれることになる。これらの重ねられた二枚のガラスは、読み取りを困難なものにし、時計の厚みを増大させ、その価格も高いものにしてしまう。バンドの長さは調整できるものであり、バンドのアンクル受けを差し込むための穴によって目立たないように定められた位置を取り入れることができる。したがってより微細な調整を切れ目なく行うことは不可能である。
【０００６】
胴は、上部の枠と同様に第一のガラスによって閉じられている。
【特許文献１】米国特許第４７４８６０４号明細書
【特許文献２】米国特許第２４２９９５０号明細書
【特許文献３】独国実用新案第７５２７５７号明細書
【特許文献４】スイス国特許第１５６１７４号明細書
【発明の開示】
【発明が解決しようとする課題】
【０００７】
本発明は、折畳式の留具を含む時計ケースの改良に関するものである。
【０００８】
本発明は、柔軟なバンドの長さを、留具によって個々に合わせて調整することが可能になるように改良することをとりわけ目指すものである。
【０００９】
本発明は、留具を内蔵する時計ケースの製造方法の代案を提供することも目指すものである。
【課題を解決するための手段】
【００１０】
したがって本発明は、以下の特徴により、有利な柔軟なバンド用の折畳式の留具を備える時計ケースを提案するものである：
時計ケースがバンドの第一の端部とつながれており、
台座がバンドの第二の端部と連結するようにつながれているバンドの第一の端部を備え、
継手が胴と台座に連結するようにつながっており、
連結部は、折畳まれた状態で胴と継手と台座の重ね合わせが可能であるように配置され、そして広げた状態で胴と継手と台座の並置が可能になるように配置されており、カムまたは調整部材は、圧迫および／または摩擦によってバンドを台座に固定するためのものであり、この部材は、折畳まれた状態でバンドの長さを可逆的に伸ばしたり縮めたりするために、上下に動かしたり、移動、回転しうるものである。
【００１１】
本発明は、既知のタイプの留具と組み合わせられている時計ケースでは、十二分にバンドの長さを調整することができないということを新たに検証することからはじめる。バンドの長さ調整の方法は実用性に乏しく、また、射出注入のコストが高く、多くの素材で実現することが不可能な特殊な形状に形成されたバンドを必要とする。多くの場合において、バンドの長さはバンドを切断することでしか調整ができないものであり、これは修復することが不可能であり、補助具なしには実行することができないものであり、そして例えば切断されたときに先端がほつれる傾向のある繊維や皮製のバンドにはほとんど適応しない。他のバンドは、例えばピンを取り除くのに必要な補助具を用いることでしか調整することができない。さらに、胴の近くに折畳式のバックルと、それとは別にある、胴と反対に置かれたバンドの両端の間で長さの調整を可能にする留具を備えた時計も知られている。こうした時計は、留具付の時計ケースに望まれている利点を著しく欠くものである。
【００１２】
本発明による好ましい変形例によれば、バンドは、バンドの両端を呈する伝統的なバンドの形状の一本のバンドから構成されている。バンドは、皮革や繊維織物などのような時計のバンドに通常用いられている素材、さらには好みで伸縮素材、とりわけエラストマーなどの素材で製造することができる。この好ましい変形例によれば、バンドの両端の一方は時計ケースの胴の部分につながっているが、第二の端部は台座につながっている。
【００１３】
有利には、上述の調整部材はバンドの選択可能な領域において閉じたり支えたりして作動するロック部材を備える。したがって、特別な形状のバンドが必要になることなく、あらゆる種類のバンドに適用することができる。もっとも、このことはロックの効果を強化するための、エラストマーの場合に有利な、とりわけバンドに用いられる素材の特性に応じた、線条の形態の凹凸を備えるような特殊な形状のバンドの存在を排除するわけではない。
【００１４】
バンドの長さの調整範囲は好ましくは大きく、例えば、およそ時計ケースの長さである。
【００１５】
したがって、提案される特殊な製造方法は、従来技術の製造方法に、有利な選択肢となる。
【発明を実施するための最良の形態】
【００１６】
本発明は、付属の図面によってより理解が深まるものである：
図１は、折畳まれた状態の折畳式の留具を備える時計ケースの斜視図である。
図２は、部分的に広げた状態の折畳式の留具を備える時計ケースの斜視図である。
図３は、中間の状態にある折畳式の留具を備える時計ケースの斜視図である。
図４は、中間の状態にある折畳式の留具を備える時計ケースを部分的に拡大した斜視図であり、とりわけ胴の台座へのロックの連結と機構を図示している。
図５は、中間の状態にある折畳式の留具を備える時計ケースを部分的に拡大した斜視図であり、とりわけロックの機構と竜頭のための通路の切欠を図示している。
図６は、台座を部分的に拡大した斜視図であり、広げた状態の調整部材を図示している。
図７は、図６と対応するものであり、調整部材は閉じた状態にある。
【００１７】
本発明の腕時計は、時計のムーブメントが収められている胴１を備える。竜頭１０は図示されていない竜頭の軸とつながっており、時計のムーブメントを時間に合わせること、および／または他の機能を調整することを可能にする。
【００１８】
時計のバンド４は、二つの端部４０と４１が時計ケースに固定される、一本のバンドから構成されている。したがって端部４１は、一例としてバネピンを用いた手段、あるいは他の手段を用いることによって、胴１の上面の、６時の位置に固定される。もう一方の端部４０は、後述する留具の台座３の１２時の位置に固定されている。バンドは、有利には、所有者の手首の周囲の長さに完璧に適応するように、柔軟で伸縮性のある素材、例えばシリコンを基材とする素材で成型または射出注入される。輪郭づけ４５は、皮膚の呼吸の状況を改善し、時計を滑りにくくするためにバンドの内側の面についてとりわけ配慮している。
【００１９】
時計ケースは、その他に留具の継手２を備えている。継手の一端が第一の蝶番２０（図４）と胴の内側の面の１２時の位置でつながれているが、それに対して他方の端部は、第二の蝶番２１を用いて３時から６時の位置で留具の台座と連結されている。有利な変形例によれば、旋回する連結部２０は容易に取り外しできるように考慮された蝶番であり、それは腕時計の他の部分から胴を容易に引き離すことを可能にするためのものである。このことは多様な操作を行う場合にきわめて有効であり、とりわけムーブメントや文字盤や針のはめ込み、または気密性のテストのような、様々なテストを行う上でも有効であり、さらには、万が一の場合、修理の介入を容易にするにも有効である。この目的のために蝶番２０は取り外し可能な、図４にみられるアンクル受け２２を備えている。
【００２０】
先に図示された好ましい例においては、継手は金属製のくぼんだ（Ｕ字部材）枠の形状をしており、それは、主に時計ケースの重量を軽減し、胴１の底が突起していてもそれを収めることを可能にする。好ましくは、とりわけ図２でよくみられるように、継手２は開いたＵ字の形状を呈しており、その底部は蝶番２１を介して台座３と連結している。したがって、この特殊な継手の形状は、バンドの端部４０を胴１の下に収めることを一層容易にする。しかしながら、平らな薄板の形状の留具の継手、あるいはそれ自身が柔軟性のある素材で形成される留具の継手もまた、本発明の枠内で検討することができる。他方では、本発明の枠内で、留具を開く際に留具の伸張をさらに増大させ、または開閉の快適さを改善するために、複数の部材の留具の先継を用いることも可能である。したがって、蝶型のケースに組み込まれる留具も使用することが可能になる。
【００２１】
台座３は時計がつけられたときに手首と接するように定められている。
胴１と台座３のユニットは、留具が閉じられている時に、好ましくは全体が一体化した様相を呈する。この目的のために、台座３と胴１は、境界なしで接合して互いに収まっている。
【００２２】
台座３は折りたんだ状態の継手２の全体を収めるのに十分な広さと深さをもったくりぬき部３０を備えている。したがって継手２は、時計がはめられた時に台座と時計ケースのあいだに隠れる。
【００２３】
とりわけ図３で確認できるように、くりぬき部３０はバンド４の端部４０も収めることが可能である。くりぬき部３０の中にバンドの端部４０を収めるときの深さは、手首のサイズに応じて使用するバンドの長さを調整するために合わせることができる。図示された実施態様においてバンド４は、二箇所の偏心カム３４によって台座３に保持されており、該カムは、バンドが偏心カム３４と台座３の間に挟まれる位置と、カム３４と台座３の間にバンド４が滑りこむことができる隙間が十分にある、図示されていない調整位置との間で、３時‐９時の軸と平行に回転することができる。したがって、バンドは上面あるいは下面のどちらか一方の任意の部分の圧迫、および／または部材３と３４に対する摩擦によって固定される。すでに言及したとおり、カム３４の圧迫が緩んだ際に形状が戻るように、バンドは好ましくは柔軟性のある素材で作られる。
【００２４】
カム（３４）は、好ましくは留具１、２、３が開いているときにのみ解放することが可能である。時計が閉められているときに、ケース１はカムの回転を停止させ、このようにしてバンドの長さが偶発的に狂うことが防止される。カム３４は好ましくは、留具が開いているときであっても、偶発的にバンドの長さを狂わせる恐れを招かずに留具を開くことができるように、かなりの抵抗がなければ旋回によってはずれることがないように配置される。カム３４の回転に対する抵抗は、たとえばカムの回転の際にバンドの圧迫が増すことによって引き起こされることがある。
【００２５】
図示されていない変形例の場合、カム３４は、補助の操作部材、例えば押ボタンによって作動させるか、またはバンドの一部を持ち上げることでしかはずすことができない。カム３４は複数の部材によって構成することができる。カム３４の目に見える部分は、好ましくは、ケースの他の面につながっているバンドの端部４０と同じ形状と様相を持つものであり、胴の二本のアンクル１３のあいだにはめ込まれる。
【００２６】
好ましい変形例によれば、少なくとも一つの止具３５は、カム３４と協働するものであり、その軸でのカムの回転を制御する。好ましくは、カムの回転角度は９０度以下に制御される。図６と図７にみられるものの例として、少なくとも一つの止具３５はカム３４によって担持され、少なくとも該金具の一方の端部に突き出ている。図６で見られるように、カム３４が開いた状態にあるときに止具３５は、台座のアンクル３７の一部分３７と接触し、カムの回転を防止する。この位置では、バンドの端部４０はカムの下に自由にスライドすることができる。図７に表示されているように、カム３４が閉じている状態では、止具３５は、台座３の外縁３８と接触するが、それに対してカム３４はバンドの端部４０を圧迫することによって動けなくする。カムの回転角度の最大開度は、止具の寸法を見込んで調整することに留意したい。
【００２７】
くりぬき部３０の長さは、好ましくは最大であり、すなわち、その長さは台座３と同等、そして厚さは縁よりも薄い。カム３４は、連結部２１に最も近いくりぬき部の端部からできるだけ離れて支えるように配置される。この特殊な配置は、カム３４と蝶番２１の近くにあるくりぬき部の底との間の距離を広げることを可能にするものであり、また、したがってバンドの長さの調整範囲を最大にすることを可能にする。バンド４は、台座３にある継手２の下に入り込んでいる。したがってバンドは、使用されるムーブメントの厚みによっては突起している胴１の底からは離れている。したがって時計／ムーブメントの底はバンドの進入の邪魔にはならない。
【００２８】
他方で、カム３４はバンドの幅全体にかなり大きい圧力をかけるように配置される。この方法により、留具にほんのわずかな長さのバンドが進入している際に、くりぬき部の外にバンドが滑り出る危険性が最小限に抑えられる。バンドの幅全体に対するカム３４の固定力を分散することによって、まずは局地的な圧力を軽減し、したがってバンドの表面に長期にわたって痕跡を残す危険性も軽減する。バンドの内側の面の台座３の接触面は、好ましくは、カム３４とバンドの上面との間の接触面よりも少ない。こうした特殊な配置によりバンドを内側の面に掛かるかなりの圧力によってしっかりと支えることが可能となり、バンドの上面に痕跡を残す危険性が低く抑えられる。
【００２９】
摩擦および／または圧迫によるバンドの固定は、皮革や、固定のための溝や管状の浮き出し模様を想定することが困難なテクスチャのバンドを含む、あらゆるタイプの柔軟なバンドを本発明の時計ケースに用いることを可能にする。しかしながら、止具を用いた手段、例えばケースとバンドの上で協働する止具、あるいはバンドの穴にはめ込まれた留具も用いることができる。
【００３０】
バンド４の端部４０は時計の台座とつながっている。したがってこの端部の引張力は、台座の主要面にほぼ収まる直線に沿って働く。したがってケースにおける上下運動のトルクは最小となり、その１２時の内側の面はバンドが非常に強くしめられていても持ち上がる危険性はない。ケースにつながれたバンドの端部４１は、好ましくはステップ部４００と曲げられる。端部の引張力も同様に、手首に近く、かつ台座３の主要面にほぼ収まる直線に沿って働く。したがってバンド４の内側の面は、その全長にわたって手首の皮膚に出来る限り近くにあるものであり、そうすることは、より美的、より快適であり、突発的に動いたときの時計の保持力さえも改善する。
【００３１】
時計ケース１は折畳まれた状態で留具をロックすることが可能な機械的ロック装置を備えている。前記の機械的ロック装置は、図４で示されているように、柔軟に変形させることができる部材に対して稼動する、二つの押ボタン１１、１２を備えている。図４に見られるように、押ボタン１１、１２は胴１の両側面に設置されている。押ボタン１２は、胴１につながれ、そして台座上の止具３３とともに協働する（図５）可動性の鉤１２０を作動させることが可能であることが理解される。押ボタン１２は、図示されていない、止具の鉤１２０を引き出し、またそのようにして留具を開けるために、バネあるいは薄板の動きに押し付けることが可能である。ケースのもう一方の側には、同様のものではあるが対称に設置されているのがみられる。留具は、好ましくは、二つの押ボタン１１、１２を同時に押し、次いで台座３から胴１を引き上げることでしか開くことができない。可動性の鉤１２０は、有利には図４にみられるように、ケース閉めを再度閉め、押ボタン１２を押さずに鉤１２０をはめ込むことを可能にする、面取りされた面１２１を備えている。図示されていないが、対称的な面取りした面は鉤１１にも同様にある。
【００３２】
胴１へ押ボタンを配置すると、台座３に配置するよりもそれらのボタンを手首から離すこと、つまりは所有者の怪我の危険性を減らすことが可能である。竜頭１０は、留具が折畳まれているときでも用いることができ、したがって時間の調整でそれを開く必要がない。本発明の変形例によれば、竜頭１０は、使用者の手の甲に触れることがいかなるようにしても起こらないように、９時の位置に配置される。
【００３３】
継手２の胴１への、または台座３の継手へのロックも、同様に本発明の枠内で考えられるものである。しかしながら、図示されている台座の胴へのロックは、ケース１、２、３全体を折畳まれた状態で堅固に支える利点を備える。
【００３４】
台座３は、折畳まれた状態で竜頭１０と向かい合わせに置かれる半円の切り欠き３２を備えている。同じようにして、押ボタン１１、１２は、好ましくは台座の切欠３１と３６にそれぞれ設置される。こうした特殊な配置は、竜頭と押ボタン１１、１２を台座と時計ケースをつないだ線上の近くに配置することを可能にし、それによってこの線を部分的に隠したり、いずれにせよ見えにくくすることも可能となる。
【００３５】
本発明の時計ケースはある種のスポーツとりわけゴルフをする人にはとりわけ相応しい時計ケースとなろう。
【図面の簡単な説明】
【００３６】
【図１】折畳まれた状態の折畳式の留具を備える時計ケースの斜視図
【図２】部分的に広げた状態の折畳式の留具を備える時計ケースの斜視図
【図３】中間状態にある折畳式の留具を備える時計ケースの斜視図
【図４】中間状態にある折畳式の留具を備える時計ケースについて、胴の台座へのロックの連結と機構を部分的に拡大した斜視図
【図５】中間状態にある折畳式の留具を備える時計ケースについて、ロックの機構と竜頭のための通路の切欠を部分的に拡大した斜視図
【図６】広げた状態の調整部材を拡大して示す斜視図
【図７】図６と対応し閉じた状態の調整部材を拡大して示す斜視図
【符号の説明】
【００３７】
１  胴
２  継手
３  台座
４  バンド
１０  竜頭
１１  押ボタン
１２  押ボタン
２０  連結部
２１  連結部
２２  アンクル受け
３０  くりぬき部
３１  切欠
３２  切欠
３４  調整部材
３５  止具
３６  切欠
３８  外縁
４５  輪郭づけ
１２０  鉤
１２１  面
４００  ステップ部
【図１】
2007521934.tif 000003
【図２】
2007521934.tif 000004
【図３】
2007521934.tif 000005
【図４】
2007521934.tif 000006
【図５】
2007521934.tif 000007
【図６】
2007521934.tif 000008
【図７】
2007521934.tif 000009
【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
柔軟なバンド用の折畳式の留具を備える時計ケースであり、前記折畳式の留具は、
バンド（４）の第一の端部（４１）とつながる胴（１）と、
バンド（４）の第二の端部（４０）とつながる台座（３）と、
胴（１）と台座（３）とを連結するようにつながる継手（２）と、
胴と継手と台座の、折畳まれた状態での重ね合わせと、広げた状態での並置が可能になるように配置されている、胴（１）と継手（２）との、そして台座（３）と継手（２）との連結部（２０、２１）とを備え、
バンドが折畳まれた状態のとき計測された、長さを可逆的に、そして切れ目なく、伸ばしたり縮めたりする一つまたは複数の調整部材（３４）を備えている、時計ケース。
【請求項２】
前記バンドの長さの調整は、折畳まれた状態で台座（３）と継手（２）間で差し込まれることで行われることを特徴とする、請求項１に記載の時計ケース。
【請求項３】
長さが調整することが可能なバンドの端部は、アンクル受けをもたない前記ケースにつながれていることを特徴とする、請求項１に記載の時計ケース。
【請求項４】
長さが調整可能なバンドの端部は、前記端部の垂直方向に働く力の作用によって前記ケースに固定されることを特徴とする、請求項３に記載の時計ケース。
【請求項５】
前記バンドは一本のバンドから構成されており、バンドの第一の端部（４１）は前記胴につながれ、バンドの第二の端部（４０）は前記台座につながれていることを特徴とする、請求項１に記載の時計ケース。
【請求項６】
継手（２）のその基部が台座３と連結している金属製の開いたＵ字部材から形成されていることを特徴とする、請求項１に記載の時計ケース。
【請求項７】
前記調整部材（３４）が前記台座（３）に配置されていることを特徴とする、請求項１に記載の時計ケース。
【請求項８】
継手（２）が、折畳まれた状態では台座（３）と胴（１）のあいだに隠れることを特徴とする、請求項１に記載の時計ケース。
【請求項９】
胴（１）と台座（３）のユニットが、一体化した様相を呈することを特徴とする、請求項１に記載の時計ケース。
【請求項１０】
バンド（４）の第二の端部（４０）は、折畳まれた状態で前記時計ケース（１、２、３）のなかに入り込んでいることを特徴とする、請求項１に記載の時計ケース。
【請求項１１】
バンド（４）の第二の端部（４０）は、折畳まれた状態で台座（３）に入り込んでいることを特徴とする、請求項１０に記載の時計ケース。
【請求項１２】
前記バンド（４）は、前記のケース（１、２、３）の既定された部分に対する、その表面の任意の部分の圧迫によって固定されていることを特徴とする、請求項１に記載の時計ケース。
【請求項１３】
前記長さの調整部材は、前記のケース（１、２、３）につながれた、閉じた状態でバンド（４）を支える稼動部材（３４）を備えていることを特徴とする、請求項１に記載の時計ケース。
【請求項１４】
前記調整部材の稼動部材（３４）は、二箇所の偏心カムであることを特徴とする、請求項１３に記載の時計ケース。
【請求項１５】
カム（３４）と協働する、少なくとも一つの止具（３５）が、前記カムの回転角度を好ましくは９０度以下に制御するためのことを特徴とする、請求項１４に記載の時計ケース。
【請求項１６】
前記長さの調整部材は、前記留具が折畳まれているときは作動しないことを特徴とする、請求項１に記載の時計ケース。
【請求項１７】
折畳まれた状態の留具をロックするための機械的ロック装置（１１、１２）を備えていることを特徴とする、請求項１に記載の時計ケース。
【請求項１８】
前記機械的ロック装置が、少なくとも一つの押ボタン（１１、１２）と、少なくとも一つの柔軟に変形させることができる部材を備えていることを特徴とする、請求項１７に記載の時計ケース。
【請求項１９】
少なくとも一つの前記押ボタン（１１、１２）はバネの動きに対して操作することが可能であり、胴（１）と台座（３）につながっている鉤（１２０、３３）の着脱が可能であることを特徴とする、請求項１８に記載の時計ケース。
【請求項２０】
前記ケースの両側に二つの押ボタン（１１、１２）を備えていることを特徴とする、請求項１８に記載の時計ケース。
【請求項２１】
前記押ボタン（１１、１２）は、胴（１）につながっていることを特徴とする、請求項２０に記載の時計ケース。
【請求項２２】
折畳まれた状態のとき前記の継手（２）が収まるために、台座（３）の上面にくりぬき部（３０）を備えていることを特徴とする、請求項１に記載の時計ケース。
【請求項２３】
台座（３）は、上面に折畳まれた状態でバンド（４）の前記第二の端部を収めるためのくりぬき部（３０）を備え、前記バンドの調整範囲は前記のくりぬき部分の長さとほぼ同等にすることが可能であることを特徴とする、請求項１に記載の時計ケース。
【請求項２４】
折畳まれた状態の重ね合わせの順序は以下のとおりであることを特徴とする、請求項１に記載の時計ケース：
１）台座（３）
２）バンド（４）の端部（４０）
３）継手（２）
４）胴（１）
【請求項２５】
胴（１）は、好ましくは９時の位置に竜頭（１０）を備えており、台座（３）は、留具が折畳まれているときに前記竜頭と対向する切欠（３２）を備えていることを特徴する、請求項１に記載の時計ケース。
【請求項２６】
台座（３）は、留具が折畳まれているときに、少なくとも一つの前記押ボタンと呼ばれるもののために、少なくとも一つの切欠（３１、３６）を備えていることを特徴とする、請求項１に記載の時計ケース。
【請求項２７】
バンド（４）の両端部（４０、４１）の引張力は、前記台座の主要面にほぼ収まる二つの直線に沿って働くことを特徴とする、請求項１に記載の時計ケース。
【請求項２８】
前記バンドは伸縮性の素材から作られることを特徴とする、請求項１に記載の時計ケース。
【国際調査報告】
2007521934.tif 000010
2007521934.tif 000011
2007521934.tif 000012
2007521934.tif 000013
2007521934.tif 000014
2007521934.tif 000015